(57)【要約】【課題】電子部品の収容性を向上させるキャリアテープの製造方法及びその製造方法により作製されたキャリアテープを提供する。【解決手段】積層紙２を用意し、穴あけ金型２２６を抑え・支持枠型２２７側から支持・抑え枠型２２９側へ移動させて、積層紙２の所定の場所に貫通孔２ｆを形成する。次に第１圧縮金型２２８の凹部２２８ａを穿孔部２２６Ｂの先端に当接させ、第１圧縮金型２２８を移動させ、積層紙２を初期の厚さから約１／４程度の厚さまで圧縮し図示せぬ第２ポケットを形成する。次に、図示せぬ第２圧縮金型によって貫通孔２ｆを閉じて図示せぬ収容部を形成し、キャリアテープ１は完成する。上述のように形成することにより、図示せぬ収容部に発生するスプリングバックをほぼなくすことができ、図示せぬ収容部に図示せぬ電子部品を容易に収容することができる。【選択図】図６（ｃ）
2005324824.tif 000002
【特許請求の範囲】
【請求項１】
列をなして電子部品を収容する収容部を有する紙製のキャリアテープの製造方法であって、
長尺状の紙を用意する工程と、
該紙の所定の場所に貫通孔を形成する工程と、
該貫通孔を含む該紙の領域を該紙の厚さ方向に圧縮し凹部を形成すると共に、該圧縮によって該貫通孔を閉じて該収容部を提供する工程とを有することを特徴とするキャリアテープの製造方法。
【請求項２】
列をなして電子部品を収容する収容部を有する紙製のキャリアテープの製造方法であって、
長尺状の紙を用意する工程と、
該紙の所定の場所を該紙の厚さ方向である一方向に所定深さまで圧縮して凹部を形成する工程と、
該凹部の領域に貫通孔を形成する工程と、
該貫通孔を含んだ該凹部の領域内を該一方向に再圧縮し、該再圧縮によって該貫通孔を閉じて該収容部を提供する工程とを有することを特徴とするキャリアテープの製造方法。  
【請求項３】
列をなして電子部品を収容する収容部を有する紙製のキャリアテープの製造方法であって、
長尺状の紙を用意する工程と、
該紙の所定の場所に貫通孔を形成する工程と、
該貫通孔を貫通する第１金型と該貫通孔を含む該紙の領域を該紙の厚さ方向である一方向に圧縮するための第２金型とによって空気溜り室を提供しつつ、該一方向に所定深さまで圧縮して凹部を形成する工程と、
該貫通孔を含んだ該凹部の領域内を該一方向に再圧縮し、該再圧縮によって該貫通孔を閉じて該収容部を提供する工程とを有することを特徴とするキャリアテープの製造方法。
【請求項４】
該第１金型又は該第２金型は、該第２金型又は該第１金型に当接して該空気溜り室を提供するためのスペーサを有していることを特徴とする請求項３に記載のキャリアテープの製造方法。
【請求項５】
該第１金型は、該一方向とは反対方向に延びるスペーサを有し、該スペーサの先端は尖った形状をなして、該第１金型が該一方向とは反対方向に移動したときに該貫通孔が形成され、
該第２金型には、該スペーサに対向し該反対方向に凹む凹部が形成され、該第２金型が該一方向に移動して該スペーサが該凹部に当接して該空気溜り室が画成されることを特徴とする請求項３に記載のキャリアテープの製造方法。
【請求項６】
該紙は、積層紙であることを特徴とする請求項１乃至３のいずれか一項に記載のキャリアテープの製造方法。
【請求項７】
請求項１乃至請求項６のいずれか一項に記載されたキャリアテープの製造方法により作製される電子部品収容のためのキャリアテープ。
【発明の詳細な説明】
【技術分野】
【０００１】
本発明は、小型電子部品の運搬に用いられるキャリアテープの製造方法及びその製造方法により製造されたキャリアテープに関する。
【背景技術】
【０００２】
従来から、様々なキャリアテープの製造方法及びキャリアテープの形状が提案されている。例えば、凸部を有する圧縮金型と、圧縮金型挿入穴が形成された抑え枠型と、凸部と係合する係合穴を有する支持枠型とにより構成された製造装置において、まず抑え枠型と支持枠型との間に厚紙を配置する。次に、圧縮金型を抑え枠型側から支持枠型側へ移動させて、厚紙を圧縮して収容部を形成すると共に収容部の底部に貫通穴を形成し、キャリアテープを製造している（例えば、特許文献１参照）。
【０００３】
【特許文献１】特開第３３７３４２０号公報
【発明の開示】
【発明が解決しようとする課題】
【０００４】
しかし、従来のキャリアテープの製造方法では、圧縮金型の一度の圧縮のみで厚紙に収容部を形成するので、圧縮時における厚紙内部に存在する空気の逃げ場が無く、圧縮された空気が圧縮金型を収容部から抜いた後に膨張し、収容部の底部にスプリングバックが発生していた。このため、収容部に電子部品を収容しようとしても、電子部品の上部が収容部内部に収まらない収容不良が生じていた。また、収容部に貫通穴を有する形状では、異物が混入したり、湿度変動による水滴の発生等により電子部品を取り出せないことがあった。
【０００５】
そこで、本発明は、電子部品の収容性を向上させるキャリアテープの製造方法及びその製造方法により製造されたキャリアテープを提供することを目的とする。
【課題を解決するための手段】
【０００６】
上記目的を達成するために、本発明は、列をなして電子部品を収容する収容部を有する紙製のキャリアテープの製造方法であって、長尺状の紙を用意する工程と、紙の所定の場所に貫通孔を形成する工程と、貫通孔を含む紙の領域を紙の厚さ方向に圧縮し凹部を形成すると共に、圧縮によって貫通孔を閉じて収容部を提供する工程とを有するキャリアテープの製造方法を提供している。
【０００７】
また、列をなして電子部品を収容する収容部を有する紙製のキャリアテープの製造方法であって、長尺状の紙を用意する工程と、紙の所定の場所を紙の厚さ方向である一方向に所定深さまで圧縮して凹部を形成する工程と、凹部の領域に貫通孔を形成する工程と、貫通孔を含んだ凹部の領域内を一方向に再圧縮し、再圧縮によって貫通孔を閉じて収容部を提供する工程とを有するキャリアテープの製造方法を提供している。
【０００８】
また、列をなして電子部品を収容する収容部を有する紙製のキャリアテープの製造方法であって、長尺状の紙を用意する工程と、紙の所定の場所に貫通孔を形成する工程と、貫通孔を貫通する第１金型と貫通孔を含む紙の領域を紙の厚さ方向である一方向に圧縮するための第２金型とによって空気溜り室を提供しつつ、一方向に所定深さまで圧縮して凹部を形成する工程と、貫通孔を含んだ凹部の領域内を一方向に再圧縮し、再圧縮によって貫通孔を閉じて収容部を提供する工程とを有するキャリアテープの製造方法を提供している。
【０００９】
ここで、第１金型又は第２金型は、第２金型又は第１金型に当接して空気溜り室を提供するためのスペーサを有していることが好ましい。
【００１０】
更に、第１金型は、一方向とは反対方向に延びるスペーサを有し、スペーサの先端は尖った形状をなして、第１金型が一方向とは反対方向に移動したときに貫通孔が形成され、第２金型には、スペーサに対向し反対方向に凹む凹部が形成され、第２金型が一方向に移動してスペーサが凹部に当接して空気溜り室が画成されることが好ましい。また、紙は、積層紙であることが好ましい。
【００１１】
また、本発明は、上記のキャリアテープの製造方法で作製された電子部品収容のためのキャリアテープを提供している。
【発明の効果】
【００１２】
本発明のキャリアテープの製造方法によれば、貫通孔を形成する工程と、貫通孔を含む紙の領域を圧縮によって貫通孔を閉じて収容部を提供する工程とを備えているので、圧縮される紙内部の空気を貫通孔を通じて外部へ排出しながら収容部は形成される。従って、収容部に発生するスプリングバックを小さくすることができ、収容部への電子部品の収容性を改善することができる。
【００１３】
本発明のキャリアテープの製造方法によれば、所定深さまで圧縮して凹部を形成する工程と、貫通孔を形成する工程と、再圧縮によって貫通孔を閉じて収容部を提供する工程とを備えているので、再圧縮時に圧縮される紙の内部の空気を貫通孔を通じて外部へ排出しながら収容部は形成される。そして、２度の圧縮により請求項１に記載のキャリアテープの製造方法よりもスプリングバックを小さくすることができ、収容部への電子部品の収容性を改善することができる。
【００１４】
本発明のキャリアテープの製造方法によれば、貫通孔を形成する工程と、第１金型と第２金型とによって空気溜り室を提供しつつ圧縮して凹部を形成する工程と、再圧縮によって貫通孔を閉じて収容部を提供する工程とを備えているので、圧縮される紙内部の空気を空気溜り室に流入させ、凹部付近の空気の量を減少させることができる。そして、その後に２度目の圧縮を行い凹部付近に残存する空気を貫通孔を通じて外部に排出しながら収容部を形成するので、収容部に発生するスプリングバックをほぼなくすことができ、収容部に電子部品を容易に収容することができる。
【００１５】
本発明のキャリアテープの製造方法によれば、第１金型又は第２金型は、第２金型又は第１金型に当接して空気溜り室を提供するためのスペーサを有しているので、第１金型と第２金型とを連動させて移動させることができ、容易に空気溜り室を提供することができる。
【００１６】
本発明のキャリアテープの製造方法によれば、第１金型は、一方向とは反対方向に延びるスペーサを有し、スペーサの先端は尖った形状をなしているので、容易に貫通孔を形成することができる。また、第２金型には、凹部が形成され、第２金型が一方向に移動してスペーサが凹部に当接して空気溜り室が画成されるので、第１金型と第２金型とを連動させて移動させることができ、容易に空気溜り室を提供することができる。
【００１７】
本発明のキャリアテープの製造方法によれば、紙は積層紙であるので、収容部の形成を容易に行うことができる。
【００１８】
本発明のキャリアテープによれば、収容部への電子部品の収容性が改善される。また、キャリアテープの収容面を覆うようにカバーテープを貼付すれば、外部と連通する穴等がなくなるので異物の混入を防止でき、収容部内の湿度変動を抑制することができる。
【発明を実施するための最良の形態】
【００１９】
本発明の実施の形態によるキャリアテープについて図１〜図３に基づき説明する。キャリアテープ１は、複数の紙を積層させた積層紙２により構成され薄く細長い長尺状をなしている。キャリアテープ１には、その長手方向に並んでキャリアテープ１の厚さ方向にくぼむ凹部状の収容部２ａが、所定の間隔で複数形成されている。収容部２ａの底部２ｂの厚さｔは、キャリアテープ１の厚さ（０．４〜１．０ｍｍ）に対して、約１／１０の厚さである。図１においては、説明の便宜のために互いに隣接する２個の収容部２ａが形成されているキャリアテープ１を示している。
【００２０】
図２は、収容部２ａに電子部品を収容したキャリアテープ１を図１の矢印II方向から見た平面図である。収容部２ａの縦幅Ａ及び横幅Ｂは、電子部品３の縦幅ａ及び横幅ｂに対してＡ＝（１．０５〜１．０７）×ａ、Ｂ＝（１．０５〜１．０７）×ｂの関係を満たすように形成されている。図３は、収容部２ａに電子部品３を収容し、電子部品３が収容部２ａから外部に出るのを防止するための剥離可能なカバーテープ４をキャリアテープ１に貼付した電子部品連テープ５を示した図である。図３のような状態で電子部品３は運搬され、電子部品連テープからカバーテープ３を剥離することによって、電子部品３はキャリアテープ１から取出され基板上に実装される。
【００２１】
次に、本発明の第１の実施の形態によるキャリアテープの製造方法について図４（ａ）〜（ｃ）に基づき説明する。まず、本実施の形態の製造方法を実行する装置について説明する。当該装置は図４（ａ）に示すように、製造ライン上に配置され、穴あけ金型１０、第１抑え枠型１１及び第１支持枠型１２を有する第１-１ユニット１３と、図４（ｃ）に示すように、第１-１ユニット１３から収容部２ａのピッチの整数倍の距離をあけて第１-１ユニット１３よりも下流に配置され、圧縮金型１４、第２抑え枠型１５及び第２支持枠型１６を有する第１-２ユニット１７とにより構成されている。
【００２２】
第１-１ユニット１３の穴あけ金型１０は、略円柱形でその直径は図２の縦幅Ａの約５０％の長さであり、積層紙２の厚さ方向に移動可能に設けられている。第１抑え枠型１１には、穴あけ金型１０を摺動移動可能に挿通させる第１抑え枠型穴１１ａが形成されている。また、第１抑え枠型１１は、積層紙２と当接する第１面１１Ａを有している。第１支持枠型１２には、穴あけ金型１０を摺動移動可能に挿通させる第１支持枠型穴１２ａが形成されている。また、第１支持枠型１２は、第１面１１Ａに対向し積層紙２を支持するための第２面１２Ａを有している。
【００２３】
第１-２ユニット１７の圧縮金型１４は、その積層紙２の厚さ方向に直交する断面形状が略長方形（図２の縦幅Ａ×横幅Ｂのサイズ）であり、積層紙２に対向する平面状の第１平面１４Ａを有している。第２抑え枠型１５には、圧縮金型１４を摺動移動可能に挿通させる第２抑え枠型穴１５ａが形成されている。また、第２抑え枠型１５は、積層紙２と当接する第３面１５Ａを有している。第２支持枠型１６は、第３面１５Ａに対向し積層紙２を支持する平面状の第２平面１６Ａを有している。
【００２４】
キャリアテープ１を製造するために、まず積層紙２を用意し、図４（ａ）に示すように、第１抑え枠型１１と第１支持枠型１２との間に積層紙２を配置する。次に、図４（ｂ）のように穴あけ金型１０を第１抑え枠型１１側から第１支持枠型穴１２ａへ移動させて、積層紙２の所定の場所に貫通孔２ｃを形成する。次に貫通孔２ｃから穴あけ金型１０を抜いて、積層紙２を上記整数倍ピッチ移動させて第１-２ユニット１７の第２抑え枠型１５と第２支持枠型１６との間に配置する。次に圧縮金型１４を積層紙２の厚さが減少する方向に移動させ積層紙２の貫通孔２ｃを含む領域をその厚さがｔになるまで圧縮する。圧縮によって貫通孔２ｃは閉じられ図４（ｃ）に示すように有底形状の収容部２ａを形成し、キャリアテープ１は完成する。
【００２５】
上述の製造方法では、積層紙２に貫通孔２ｃを形成してから圧縮して収容部２ａを形成するので、圧縮される積層紙２を構成する各紙の間に介在する空気を貫通孔２ｃを通じて外部へ排出しながら収容部２ａは形成される。従って、収容部２ａの底部２ｂの両端付近に発生するスプリングバックを小さくすることができ、電子部品３の収容性を改善することができる。また、図３のようにカバーテープ４を貼付すれば、外部と連通する穴等がなくなるので異物の混入を防止でき、収容部２ａ内の湿度変動を抑制することができる。また、キャリアテープ１を積層紙２により製造しているので、収容部２ａの形成を容易に行うことができる。本製造方法は、特に１．０（横幅）×０．５（縦幅）×０．５（高さ）ｍｍ以下の小型の電子部品用キャリアテープを製造するのに有効である。
【００２６】
次に、本発明の第２の実施の形態によるキャリアテープの製造方法について図５（ａ）〜（ｅ）に基づき説明する。まず、本実施の形態の製造方法を実行する装置について説明する。当該装置は図５（ａ）に示すように、製造ライン上に配置され、第１平面１１４Ａを有する圧縮金型１１４、第１抑え枠型穴１１５ａと第１面１１５Ａとを有する第１抑え枠型１１５及び第２平面１１６Ａを有する第１支持枠型１１６を備える第２-１ユニット１１７を有している。尚、圧縮金型１１４、第１抑え枠型１１５及び第１支持枠型１１６は、第１の実施の形態の圧縮金型１４、第２抑え枠型１５及び第２支持枠型１６にそれぞれ対応している。
【００２７】
また、当該装置は図５（ｃ）に示すように、第２-１ユニット１１７から収容部２ａのピッチの整数倍の距離をあけて第２-１ユニット１１７よりも下流に配置される穴あけ金型１１８、第２抑え金型１１９及び及び第２支持枠型１２０を有する第２-２ユニット１２１を備えている。更に、当該装置は図５（ｅ）に示すように、第２-２ユニット１２１から収容部２ａのピッチの整数倍の距離をあけて第２-２ユニット１２１よりも下流に配置される圧縮金型１１４と同形状の圧縮金型１２２、第１抑え枠型１１５と同形状の第１抑え枠型１２３及び第１支持枠型１１６と同形状の第１支持枠型１２４を有する第２-３ユニット１２５を備えている。
【００２８】
穴あけ金型１１８は、略円柱形でその直径は図２の縦幅Ａの約３０％の長さであり、積層紙２の厚さ方向に移動可能に設けられている。第２抑え金型１１９には、穴あけ金型１１８を摺動移動可能に挿通させる第２抑え金型穴１１９ａが形成されている。また、第２抑え金型１１９は、積層紙２と当接する第２面１１９Ａを有している。第２支持枠型１２０には、穴あけ金型１１８を摺動移動可能に挿通させる第２支持枠型穴１２０ａが形成されている。また、第２支持枠型１２０は、第２面１１９Ａに対向し積層紙２を支持するための第３面１２０Ａを有している。また、圧縮金型１２２は、圧縮金型１１４の第１平面１１４Ａと同様の第１平面１２２Ａを有し、第１抑え枠型１２３は、第１抑え枠型１１５の第１抑え枠型穴１１５ａ及び第１面１１５Ａと同様の第１抑え枠型穴１２３ａ及び第１面１２３Ａを有し、第１支持枠型１２４は、第１支持枠型１１６の第２平面１１６Ａと同様の第２平面１２４Ａを有している。
【００２９】
キャリアテープ１を製造するために、まず積層紙２を用意し、図５（ａ）に示すように、第１抑え枠型１１５と第１支持枠型１１６との間に積層紙２を配置する。次に、図５（ｂ）に示すように圧縮金型１１４を積層紙２の厚さが減少する方向に移動させ、積層紙２を初期の厚さから約１／３程度の厚さまで圧縮し、第１ポケット２ｄを形成する。第１ポケット２ｄから圧縮金型１１４を抜き、上記整数倍ピッチ移動させた後に積層紙２を図５（ｃ）に示すように、第２-２ユニット１２１の第２抑え金型１１９と第２支持枠型１２０との間に配置する。
【００３０】
次に、図５（ｄ）に示すように穴あけ金型１１８を第２抑え金型１１９側から第２支持枠型穴１２０ａへ移動させて、積層紙２の所定の場所に貫通孔２ｅを形成する。次に、貫通孔２ｅから穴あけ金型１１８を抜いて、積層紙２を上記整数倍ピッチ移動させ第２-３ユニット１２５の第１抑え枠型１２３と第１支持枠型１２４との間に配置する。そして、圧縮金型１２２を積層紙２の厚さが減少する方向に移動させ積層紙２の貫通孔２ｅを含む領域をその厚さがｔになるまで圧縮する。圧縮によって貫通孔２ｅは閉じられ図５（ｅ）に示すように有底形状の収容部２ａを形成し、キャリアテープ１は完成する。
【００３１】
上述の製造方法では、まず積層紙２の圧縮を行い、その後貫通孔２ｅを形成し圧縮して収容部２ａを形成するので、２度目の圧縮において圧縮される積層紙２を構成する各紙の間に介在する空気を貫通孔２ｅを通じて外部に排出しながら収容部２ａは形成される。そして、収容部２ａを形成するのに２度の圧縮を行うので、第１の実施の形態によるキャリアテープの製造方法よりも収容部２ａの底部２ｂの両端付近に発生するスプリングバックを小さくすることができ、電子部品３の収容性を改善することができる。また、図３のようにカバーテープ４を貼付すれば、外部と連通する穴等がなくなるので異物の混入を防止でき、収容部２ａ内の湿度変動を抑制することができる。また、キャリアテープ１を積層紙２により製造しているので、収容部２ａの形成を容易に行うことができる。本製造方法は、特に１．０（横幅）×０．５（縦幅）×０．５（高さ）ｍｍ以下の小型の電子部品用キャリアテープを製造するのに有効である。
【００３２】
次に、本発明の第３の実施の形態によるキャリアテープの製造方法について図６（ａ）〜（ｆ）に基づき説明する。まず、本実施の形態の製造方法を実行する装置について説明する。当該装置は図６（ａ）〜（ｃ）に示すように、製造ライン上に配置される穴あけ金型２２６（請求項の第１金型に相当）、抑え・支持枠型２２７、第１圧縮金型２２８（図６（ｃ）、請求項の第２金型に相当）及び支持・抑え枠型２２９を有する第３-１ユニット２３０と、図６（ｆ）に示ように第３-１ユニット２３０から収容部２ａのピッチの整数倍の距離をあけて第３-１ユニット２３０よりも下流に配置される第１平面２１４Ａを有する第２圧縮金型２１４、抑え枠型穴２１５ａと第１面２１５Ａとを有する抑え枠型２１５及び第２平面２１６Ａを有する支持枠型２１６を備える第３-２ユニット２１７を有している。尚、第２圧縮金型２１４、抑え枠型２１５及び支持枠型２１６は、第１の実施の形態の圧縮金型１４、第２抑え枠型１５及び第２支持枠型１６にそれぞれ対応している。
【００３３】
穴あけ金型２２６は、略円柱形でその直径は図２の縦幅Ａの約２５％の長さであり、積層紙２の厚さ方向に移動可能に設けられている。穴あけ金型２２６の積層紙２側の穴あけ金型２２６の中心軸に直交する端面２２６Ａの略中央には、先端が尖った穿孔部２２６Ｂが設けられている。また、図６（ｄ）に示すように端面２２６Ａの外縁部２２６Ｃは、端面２２６Ａに対して４５°の角度をなすように面取したような形状をなしている。抑え・支持枠型２２７には、穴あけ金型２２６を摺動移動可能に挿通させる抑え・支持枠型穴２２７ａが形成されている。また、抑え・支持枠型２２７は、積層紙２と当接し積層紙２を支持するための第３平面２２７Ａを有している。
【００３４】
第１圧縮金型２２８は、その積層紙２の厚さ方向に直交する断面形状が略長方形（図２の縦幅Ａ×横幅Ｂのサイズ）であり、積層紙２に当接する平面状の第４平面２２８Ａを有している。更に、第４平面２２８Ａの積層紙２の長手方向略中央には、穿孔部２２６Ｂに対向し積層紙２から離間する方向に凹む凹部２２８ａが形成されている。凹部２２８ａの積層紙２の厚さ方向に直交する断面形状は円形であり、その直径は穴あけ金型２２６の直径とほぼ等しく構成されている。また、支持・抑え枠型２２９は、積層紙２と当接する第２面２２９Ａを有している。支持・抑え枠型２２９には、第１圧縮金型２２８を摺動移動可能に挿通させる支持・抑え枠型穴２２９ａが形成されている。
【００３５】
キャリアテープ１を製造するために、まず積層紙２を用意し、図６（ａ）に示すように、抑え・支持枠型２２７と支持・抑え枠型２２９との間に積層紙２を配置する。次に図６（ｂ）に示すように穴あけ金型２２６を抑え・支持枠型２２７側から支持・抑え枠型２２９側へ移動させて、積層紙２の所定の場所に貫通孔２ｆを形成する。次に、図６（ｃ）に示すように、第１圧縮金型２２８の第４平面２２８Ａを積層紙２に当接させ、かつ凹部２２８ａを穿孔部２２６Ｂの先端に当接させる。
【００３６】
このとき図６（ｄ）に示すように、穿孔部２２６Ｂは穴あけ金型２２６の本体と第１圧縮金型２２８との間においてスペーサとして機能し、凹部２２８ａ、穿孔部２２６Ｂ及び端面２２６Ａにより空気溜り室Ｓが画成される。また、凹部２２８ａの積層紙２側端部と外縁部２２６Ｃとの間には、空隙ａが形成される。
【００３７】
次に、図６（ｅ）に示すように穿孔部２２６Ｂと凹部２２８ａとを当接させたまま、第１圧縮金型２２８を積層紙２の厚さが減少する方向に移動させ、積層紙２を初期の厚さから約１／４程度の厚さまで圧縮し積層紙２に第２ポケット２ｇを形成する。このとき、圧縮された積層紙２を構成する各紙の間に介在する空気は、空隙ａから空気溜り室Ｓに流入する。次に、第２ポケット２ｇから第１圧縮金型２２８を抜くと共に貫通穴２ｆから穴あけ金型２２６を抜いて、積層紙２を上記所定ピッチ移動させて、第３-２ユニット２１７の抑え枠型２１５と支持枠型２１６との間に配置する。次に、第２圧縮金型２１４を積層紙２の厚さが減少する方向に移動させ積層紙２の貫通孔２ｆを含む領域をその厚さがｔになるまで圧縮する。圧縮によって貫通孔２ｆは閉じられ図６（ｆ）に示すように有底形状の収容部２ａを形成し、キャリアテープ１は完成する。
【００３８】
上述の製造方法では、第２圧縮金型２１４で圧縮を行ったときに、圧縮される積層紙２を構成する各紙間に介在する空気を空気溜り室Ｓに流入させ、第２ポケット２ｇ付近の空気の量を減少させることができる。そして、その後に２度目の圧縮を行い第２ポケット２ｇ付近に残存する空気を貫通孔２ｆを通じて外部に排出しながら収容部２ａを形成するので、収容部２ａの底部２ｂの両端付近に発生するスプリングバックをほぼなくすことができ、収容部２ａに電子部品３を容易に収容することができる。
【００３９】
また、穴あけ金型２２６は先端の尖った穿孔部２２６Ｂを有しているので、容易に貫通孔２ｆを形成することができる。そして、穿孔部２２６Ｂは凹部２２８ａに当接しているので、穴あけ金型２２６及び第２圧縮金型２２８を連動させて移動させることができ、容易に空気溜り室Ｓを提供することができる。また、図３のようにカバーテープ４を貼付すれば、外部と連通する穴等がなくなるので異物の混入を防止でき、収容部２ａ内の湿度変動を抑制することができる。また、キャリアテープ１を積層紙２により製造しているので、収容部２ａの形成を容易に行うことができる。本製造方法は、特に１．０（横幅）×０．５（縦幅）×０．５（高さ）ｍｍ以下の小型の電子部品用キャリアテープを製造するのに有効である。
【００４０】
本発明の実施の形態によるキャリアテープの製造方法は、上述した実施の形態に限定されず、特許請求の範囲に記載した範囲で種々の変形や改良が可能である。
【図面の簡単な説明】
【００４１】
【図１】本発明によるキャリアテープの製造方法により製造されたキャリアテープの長手方向に沿った断面図。
【図２】本発明によるキャリアテープの製造方法により製造されたキャリアテープの収容部に電子部品を収容した状態を図１の矢印II方向から見た平面図。
【図３】本発明によるキャリアテープの製造方法により製造されたキャリアテープの収容部に電子部品を収容し、キャリアテープの収容部の開口側の面にカバーテープを貼付した電子部品連テープを示した図。
【図４（ａ）】本発明の第１の実施の形態によるキャリアテープの製造方法において、第１抑え枠型と第１支持枠型との間に積層紙を配置した状態を示した図。
【図４（ｂ）】本発明の第１の実施の形態によるキャリアテープの製造方法において、穴あけ金型により積層紙に貫通孔を形成した状態を示した図。
【図４（ｃ）】本発明の第１の実施の形態によるキャリアテープの製造方法において、圧縮金型により積層紙に収容部を形成した状態を示した図。
【図５（ａ）】本発明の第２の実施の形態によるキャリアテープの製造方法において、第１抑え枠型と第１支持枠型との間に積層紙を配置した状態を示した図。
【図５（ｂ）】本発明の第２の実施の形態によるキャリアテープの製造方法において、圧縮金型により積層紙に第１ポケットを形成した状態を示した図。
【図５（ｃ）】本発明の第２の実施の形態によるキャリアテープの製造方法において、第２抑え金型と第２支持枠型との間に積層紙を配置した状態を示した図。
【図５（ｄ）】本発明の第２の実施の形態によるキャリアテープの製造方法において、穴あけ金型により積層紙に貫通孔を形成した状態を示した図。
【図５（ｅ）】本発明の第２の実施の形態によるキャリアテープの製造方法において、圧縮金型により積層紙に収容部を形成した状態を示した図。
【図６（ａ）】本発明の第３の実施の形態によるキャリアテープの製造方法において、抑え・支持枠型と支持・抑え枠型との間に積層紙を配置した状態を示した図。
【図６（ｂ）】本発明の第３の実施の形態によるキャリアテープの製造方法において穴あけ金型により積層紙に貫通孔を形成した状態を示した図。
【図６（ｃ）】本発明の第３の実施の形態によるキャリアテープの製造方法において、穴あけ金型の穿孔部と第１圧縮金型の凹部とを当接させた状態を示した図。
【図６（ｄ）】本発明の第３の実施の形態によるキャリアテープの製造方法において、図６（ｃ）の穿孔部周辺の拡大図。
【図６（ｅ）】本発明の第３の実施の形態によるキャリアテープの製造方法において、第１圧縮金型により積層紙に第２ポケットを形成した状態を示した図。
【図６（ｆ）】本発明の第３の実施の形態によるキャリアテープの製造方法において、第２圧縮金型により積層紙に収容部を形成した状態を示した図。
【符号の説明】
【００４２】
１    キャリアテープ
２    積層紙
２ａ  収容部
２ｃ、２ｅ、２ｆ    貫通孔
２ｄ  第１ポケット
２ｇ  第２ポケット
３    電子部品
２２６    穴あけ金型
２２６Ａ  穿孔部
２２８    第１圧縮金型
２２８ａ  凹部
Ｓ      空気溜り室
【図１】
2005324824.tif 000003
【図２】
2005324824.tif 000004
【図３】
2005324824.tif 000005
【図４（ａ）】
2005324824.tif 000006
【図４（ｂ）】
2005324824.tif 000007
【図４（ｃ）】
2005324824.tif 000008
【図５（ａ）】
2005324824.tif 000009
【図５（ｂ）】
2005324824.tif 000010
【図５（ｃ）】
2005324824.tif 000011
【図５（ｄ）】
2005324824.tif 000012
【図５（ｅ）】
2005324824.tif 000013
【図６（ａ）】
2005324824.tif 000014
【図６（ｂ）】
2005324824.tif 000015
【図６（ｃ）】
2005324824.tif 000016
【図６（ｄ）】
2005324824.tif 000017
【図６（ｅ）】
2005324824.tif 000018
【図６（ｆ）】
2005324824.tif 000019